(57)【要約】【課題】冷蔵室２６の収納ケース５３の内容量を増加させるために、冷蔵室ドア２８近傍に収納ケース５３の前面部５３ａを構成しても冷気４１の流れを遮断して、消費電力の低減を図る冷蔵庫を提供すること。【解決手段】冷蔵室２６の一部に設けた収納ケース５３と、収納ケース５３の上方に設けた冷蔵室ドア２８の複数個のドアポケット６４と、複数個のドアポケット６４の一部と収納ケース５３の前面部５３ａで構成する間隙を設けたものであり、冷蔵室ダクト４０の側面吐出部４５から出た冷気４１は、収納ケース５３の前面部５３ａと冷蔵室ドア２８のドアポケット６４ａの下部６４ｂで構成した間隙６５に遮られ、冷蔵室ドア２８の下方に侵入する冷気４１を減少することで、冷蔵室ドア２８の下部近傍での冷気４１と外気からの侵入熱との熱交換量を減少するようにしている。【選択図】図１
2012002412.tif 000002
【特許請求の範囲】
【請求項１】
断熱箱体と、この断熱箱体の上部に設けた冷蔵室と、前記断熱箱体の下部に設けた冷凍室と、前記冷蔵室と冷凍室を仕切る断熱仕切壁と、前記冷蔵室の背面に設け、冷気を下から上に向かって供給する冷蔵室ダクトと、この冷蔵室ダクトの側面に設けた複数個の側面吐出口と、この側面吐出口の下方の前記冷蔵室ダクトの一部に設けた吸入口と、前記冷蔵室の一部に設けた収納ケースと、この収納ケースの上方に設けた冷蔵室ドアの複数個のドアポケットと、この複数個のドアポケットの一部と前記収納ケースの前面部で構成する間隙を備え、前記収納ケースの上部から冷蔵室ドアの下方に向かう冷気の流れを抑制するようにした冷蔵庫。
【請求項２】
間隙は、ドアポケットを支持する支持部を構成し、この支持部の下部と収納ケースの前面部で構成した請求項１項に記載の冷蔵庫。
【請求項３】
間隙は、ドアポケットまたはドアポケットの支持部と収納ケースの前面部に設けた取手で構成した請求項１または２項に記載の冷蔵庫。
【請求項４】
収納ケースは、冷蔵室の内壁の側面との間に冷気導入通路を設けた請求項１〜３のいずれか１項に記載の冷蔵庫。
【請求項５】
収納ケースは、上部に設けた棚板を冷蔵室ドアの内壁に向けて、収納ケースの前面部よりも冷蔵室ドアに向かって突出した請求項１〜４のいずれか１項に記載の冷蔵庫。
【請求項６】
冷蔵室ドアは、冷蔵室側に向けて設けた内面周囲突起を収納ケースの前面部の近傍の内面周囲突起の突出長さを他の部分よりも短くした請求項１〜５のいずれか１項に記載の冷蔵庫。
【発明の詳細な説明】
【技術分野】
【０００１】
本発明は、冷蔵庫の冷蔵室の省エネ構造に関するものである。
【背景技術】
【０００２】
従来、この種の冷蔵庫は、ケース内に冷気を吐き出すためのケース冷気吐き出し口と冷蔵室の冷気を送り出す冷蔵室冷気戻り口を設け、ケース冷気吐き出し口から冷蔵室戻り口へ短絡的に通じる冷気通路に遮断構造を設けている（例えば、特許文献１参照）。
【０００３】
図５は、前記広報に記載された従来の冷蔵庫の部分断面を示すものである。
【０００４】
図５に示すように、冷蔵庫１は、上段に設けた冷蔵室２と、下段に設けた野菜室３と、前記冷蔵室２の下方に設けた引き出し可能なケース４と、このケース４を収納した隔離室５と、この隔離室５に設けた前記ケース４内に冷気６を吐き出すためのケース冷気吐き出し口７と、前記冷蔵室２の冷気６を送り出す冷蔵室冷気戻り口８を設け、前記ケース冷気吐き出し口７から前記冷蔵室冷気戻り口８へ短絡的に通じる冷気通路９に遮断構造を設けている。１０は、前記冷蔵室冷気戻り口８後方に設けた循環ファンでる。１１は、冷気６を冷蔵室２と隔離室５に冷気６を送るための冷蔵室冷気分配通路で、冷蔵室冷気吐き出し口１２を設けている。１３は、冷蔵室扉である。１４は、冷蔵室扉１３の内壁１５と冷蔵室扉１３の内壁１５の周囲に設けた突出部１６で構成したスキマである。
【先行技術文献】
【特許文献】
【０００５】
【特許文献１】特開２０００−１８６８８２号公報
【発明の概要】
【発明が解決しようとする課題】
【０００６】
しかしながら、前記従来の構成では、ケース４内にケース冷気吐き出し口７を介して流入した冷気６は、ケース４前面のスキマを抜けて、冷蔵室扉１３に向かって送り出され、また、冷蔵室冷気分配通路１１の冷蔵室冷気吐き出し口１２から冷蔵室２に吐き出された冷気６も冷蔵室扉１３に沿って降下し、ケース４の周囲を移動しながらケース４を冷却しているので、冷気６がケース４と冷蔵室扉１３との間を循環する風量が大きくなり、冷気６と冷蔵室扉１３のスキマ１４近傍の温度が高い部分との熱交換が促進されて、消費電力が低減できないという課題を有していた。
【０００７】
また、ケース４の内容量を増加するためには、冷蔵室扉１３の内壁１５の近くまでケース４を延長し、冷蔵室扉１３の内壁１５の周囲に設けた突出部１６のケース４に対向する位置の突出する長さを短くする必要があるので、スキマ１４の沿面距離が小さくなり、冷気６がスキマに侵入し外部との熱交換が多くなり、消費電力が低減できないという課題を有していた。
【０００８】
本発明は、前記従来の課題を解決するもので、冷蔵室２のケース４の内容量の拡大を行いながら、消費電力を低減することを目的とする。
【課題を解決するための手段】
【０００９】
前記従来の課題を解決するために、本発明の冷蔵庫は、断熱箱体と、断熱箱体の上部に設けた冷蔵室と、断熱箱体の下部に設けた冷凍室と、冷蔵室と冷凍室を仕切る断熱仕切壁と、冷蔵室の背面に設け、冷気を下から上に向かって供給する冷蔵室ダクトと、冷蔵室ダ
クトの側面に設けた複数個の側面吐出口と、側面吐出口の下方の冷蔵室ダクトの一部に設けた吸入口と、冷蔵室の一部に設けた収納ケースと、収納ケースの上方に設けた冷蔵室ドアの複数個のドアポケットと、複数個のドアポケットの一部と収納ケースの前面部で構成する間隙を備え、収納ケースの上部から冷蔵室ドアの下方に向かう冷気の流れを抑制するようにしたものである。
【００１０】
これによって、冷蔵室ダクトの側面吐出部から出た冷気は、収納ケースの前面部と冷蔵室ドアのドアポケットの下部で構成した間隙に遮られ、冷蔵室ドアの下方に侵入する冷気を減少することで、冷蔵室ドアの下部近傍での冷気と外気からの侵入熱との熱交換量を減少するようにしている。
【発明の効果】
【００１１】
本発明の冷蔵庫は、冷蔵室の収納ケースの内容量を増加させるために、冷蔵室ドア近傍に収納ケースの前面部を構成しても冷気の流れを遮断して、消費電力の低減を行うことができる。
【図面の簡単な説明】
【００１２】
【図１】本発明の実施の形態１における冷蔵庫の断面図
【図２】本発明の実施の形態１における冷蔵庫の要部断面図
【図３】本発明の実施の形態２における冷蔵庫の要部断面図
【図４】本発明の実施の形態３における冷蔵庫の要部断面図
【図５】本発明の実施の形態４における冷蔵庫の要部断面図
【図６】本発明の実施の形態５における冷蔵庫の要部断面図
【図７】従来の冷蔵庫の部分断面図
【発明を実施するための形態】
【００１３】
第１の発明は、断熱箱体と、断熱箱体の上部に設けた冷蔵室と、断熱箱体の下部に設けた冷凍室と、冷蔵室と冷凍室を仕切る断熱仕切壁と、冷蔵室の背面に設け、冷気を下から上に向かって供給する冷蔵室ダクトと、冷蔵室ダクトの側面に設けた複数個の側面吐出口と、側面吐出口の下方の冷蔵室ダクトの一部に設けた吸入口と、冷蔵室の一部に設けた収納ケースと、収納ケースの上方に設けた冷蔵室ドアの複数個のドアポケットと、複数個のドアポケットの一部と収納ケースの前面部で構成する間隙を備え、収納ケースの上部から冷蔵室ドアの下方に向かう冷気の流れを抑制するようにしたことにより、冷蔵室ダクトの側面吐出部から出た冷気は、収納ケースの前面部と冷蔵室ドアのドアポケット下部で構成した間隙に遮られ、冷蔵室ドアの下方に侵入する冷気を減少することで、冷蔵室ドアの下部近傍での冷気と外気からの侵入熱との熱交換量を減少することになり、冷蔵室の収納ケースの内容量を増加させるために、冷蔵室ドア近傍に収納ケースの前面部を構成しても冷気の流れを遮断して、消費電力の低減を行うことができる。
【００１４】
第２の発明は、特に、第１の発明の間隙は、ドアポケットを支持する支持部を構成し、この支持部の下部と収納ケースの前面部で構成したことにより、沿面距離の長い領域を形成し、間隙の通路抵抗を増加することになり、冷気の通過を確実に抑制することができ、消費電力の低減を行うことができる。
【００１５】
第３の発明は、特に、第１または第２の発明の間隙は、冷蔵室ドアのドアポケットまたはドアポケットの支持部の下部と収納ケースの前面部に設けた取手で構成する時に、沿面距離の長い領域を形成したことにより、間隙の通路抵抗を増加することになり、冷気の通過を確実に抑制することができ、消費電力の低減を行うことができる。
【００１６】
第４の発明は、特に、第１〜第３のいずれか１つの発明の収納ケースは、冷蔵室の内壁
の側面との間に冷気導入通路を設けたことにより、収納ケースの上部に流入した冷気が収納ケースの側部に設けた冷気導入通路に回ることになり、冷蔵室ドアの下方に侵入する冷気を減少して、消費電力の低減を行うことができる。
【００１７】
第５の発明は、特に、第１〜第４のいずれか１つの発明の収納ケースは、上部に設けた棚板を冷蔵室ドアの内壁に向けて、収納ケースの前面部よりも冷蔵室ドアに向かって突出したことにより、棚板の端部と冷蔵室ドアの内壁との間に絞り部を設けることになり、冷蔵室ドアの下方に侵入する冷気を減少して、消費電力の低減を行うことができる。
【００１８】
第６の発明は、特に、第１〜第５のいずれか１つの発明の冷蔵室ドアは、冷蔵室側に向けて設けた内面周囲突起を、収納ケースの前面部の近傍の内面周囲突起の突出長さを他の部分よりも短くしたことにより、収納ケースの前面部に設けた取手や収納部分の拡大領域が内面周囲突起に当たらないようになり、収納ケースを大きく拡大することができる。
【００１９】
以下、本発明の実施の形態について図面を参照しながら説明する。なお、本実施の形態によって本発明が限定されるものではない。
【００２０】
（実施の形態１）
図１は、本発明の第１の実施の形態における冷蔵庫の側面の構成を示す断面図、図２は、同実施の形態の冷蔵庫の正面の要部断面図である。
【００２１】
図１、図２において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２２】
３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。送風機３４は、断熱仕切壁２５内の断熱部３６に圧入支持される。
【００２３】
このため、送風機３４は、その主要部分を断熱仕切壁２５の圧入部３５内に収容した構成となる。断熱部材３６は、ポリスチレン系樹脂（発泡スチロール）で構成されている。３７は、断熱仕切壁２５の外部を構成する樹脂部で、３７ａは、下板、３７ｂは、上板である。下板３７ａは、冷凍室２７の天井を構成し、上板３７ｂは、冷蔵室２６の底部を構成するようにしている。
【００２４】
３８は、冷蔵室２６の背面に構成された樹脂性の化粧カバーで、この化粧カバー３８の内側にポリスチレン系樹脂（発泡スチロール）で構成した断熱部３９を構成している。この化粧カバー３８と断熱部３９で冷蔵室ダクト４０を構成している。断熱部３９は、内箱２１との間に送風機３４から吐出される冷気４１を上方に導く冷気通路４２を構成している。冷気通路４２は、冷蔵室２６の背面にＹの字状の通路形状を構成し、上方で冷気４１が分岐して供給するようにしている。
【００２５】
冷気通路４２の下方には、絞り部４３が設けられ、冷蔵室２６と冷凍室２７への冷気４１の配分を決めるように構成している。冷蔵室ダクト４０は、冷蔵室２６の背面から突出した形状で設けられ、化粧カバー３８の上方の複数個の上部吐出口４４と、側部の複数個
の側面吐出口４５から冷蔵室２６の内壁の天井や側部に向かって冷気４１を吹き出すようにしている。この冷気通路４２の絞り部４３と上部吐出口４４と側面吐出口４５は、冷蔵室ダクト４０に配置している。
【００２６】
また、絞り部４３の通路面積を変えて冷蔵室２６の温度調節を行う冷蔵室温調操作部４６も冷蔵室ダクト４０に設けられ、この冷蔵室温調操作部４６は、手動ダンパまたは機械式、電動式ダンパで構成している。また、冷凍室２７の温度を調整する冷凍室温調操作部４７も冷蔵室ダクト４０に設けられ、この冷凍室温調操作部４７は、ボリューム等の抵抗器で構成し、冷蔵室ダクト４０の冷気通路４２と独立した部分の断熱部３９の一部を利用して装着し、その調節ツマミ４８を冷蔵室２６内に臨ませている。
【００２７】
冷凍室温調操作部４７の温度検知部４９は、冷凍室２７内の冷気４１の通過する位置の例えば、送風機３４により供給する冷気４１の一部は、冷却器室３０から冷却器室カバー３１の開口部分を介して、冷凍室２７に流入するので、その近傍に設置するようにしている。冷蔵室ダクト４０は、側面吐出口４５の下方に吸入口５０を設け、この吸入口５０は、下方に設け、断熱仕切壁２５を貫通した吸入通路５１を介して冷蔵室２６を冷却した冷気４１を冷却器３２に戻るようにしている。
【００２８】
吸入口５０は、冷蔵室ダクト４０の下部に設けられ、冷気通路４２と隔離され、冷蔵室ダクト４０の断熱部３９の外側に化粧カバー３８を用いて構成している。冷蔵室ダクト４０と断熱仕切壁２５の結合は、冷蔵室ダクト４０の断熱部３９をインロウの構成で、送風機３４が収容された圧入部３５の開口に差し込む形で装着するようにしている。この装着により、圧入部３５も冷気通路４２の一部として構成されている。インロウの構成の接触部分には、シール材（図示なし）を設けて、冷気４１の漏れを防止するようにしている。
【００２９】
５２は、冷蔵室２６内の上下に設けた複数個の棚板、５３は、冷蔵室２６の複数個の棚板５２の最下段の棚板５２ａの下方に設けた収納ケース（野菜ケース等）である。また、５４は、冷凍室２７に設けた複数個のケースである。冷蔵室ダクト４０の複数個の側面吐出口４５は、この上下複数段に設けた複数個の棚板５２の天井に沿って冷気４１を吹き出すようにしている。
【００３０】
５５は、冷蔵室ダクト４０に設けた照明手段で、照明手段５５は、冷蔵室ダクト４０に設けるときに断熱部３９の内部に配置し、冷蔵室ダクト４０内に流入する冷気４１と接触しないようにしている。照明手段５５は、Ｙの字状の冷気通路４２の分岐した部分の上方と上部吐出口４４との間に設け、冷蔵室２６内の照明を行うようにしている。
【００３１】
照明手段５５は、複数個の半導体発光素子（ＬＥＤ）５６で構成され、このそれぞれの半導体発光素子５６は、冷蔵室２６内の複数個の棚板５２に沿って棚板５２間に配置し、棚板５２間の照明を行うようにしている。この場合の複数個の棚板５２の配置は、標準的な配置であって例えば冷蔵庫本体２０の出荷時の配置を想定している。照明手段５５の配線は、冷蔵室ダクト４０の断熱部３９内を通り結線するようにしている。（図示なし）
５７は、冷蔵庫本体２０の下部後方に配置した機械室で、圧縮機５８を設けている。
【００３２】
５９は、冷蔵室ドア２８と冷凍室ドア２９の内面の外周部に装着したガスケットで、このガスケット５９を断熱箱体２４に押し付けて、シールを行うようにしている。
【００３３】
６０は、冷凍室２７の冷凍室ドア２９の内面から突出する内面周囲突起で、冷凍室ドア２９の内面の周壁の全体にわたって設けられている。この内面周囲突起６０と内箱２１または断熱仕切壁２５で、略水平の空間６１を構成し、この空間６１の沿面距離を拡大することで冷気４１の空間６１への侵できる入量を減少するようにしている。同様に冷蔵室２
６の冷蔵室ドア２８の内面から突出する内面周囲突起６２を設け、内箱２１または断熱仕切壁２５で空間６３を構成して、この空間６３の沿面距離を拡大することで冷気４１の空間６３への侵入量を減少するようにしている。
【００３４】
また、冷蔵室ドア２８の内側には、複数個のドアポケット６４を設けている。複数個のドアポケット６４の最下段のドアポケット６４ａの下方に最下段の棚板５２ａと収納ケース５３を設けている。このドアポケット６４ａの下部６４ｂと棚板５２ａまたは収納ケース５３の前面部５３ａの一部で間隙６５を構成している。
【００３５】
間隙６５は、下部６４ｂの形状を棚板５２ａまたは収納ケース５３の前面部５３ａの形状に合わせて略等間隔の並行部分を構成するようにしている。また、多くの場合にドアポケット６４ａの下部６４ｂは、略水平に構成され、間隙６５は、前面部５３ａから棚板５２ａの上部に向かって、略水平に構成するようにしている。６６は、冷蔵室ドア２８の内壁である。ドアポケット６４の内壁６６への装着は、内面周囲突起６２の一部を利用して、この内面周囲突起６２にはめ込むように構成している。
【００３６】
収納ケース５３の前面部５３ａは、上部に収納ケース５３を出し入れする取手６７を設けている。収納ケース５３は、収納ケース５３の上に設けた棚板５２ａとで部屋を構成している。この収納ケース５３と棚板５２ａの前面部分が冷蔵室ドア２８の内面周囲突起６２に当たらないようにドアポケット６４ａの下部６４ｂの近傍から下に向かって、内面周囲突起６２のカット領域６８を設けている。
【００３７】
以上のように構成された冷蔵庫において、その動作、作用を説明する。
【００３８】
冷却器３２で冷却されて生じる冷気４１は、送風機３４により冷蔵室２６と冷凍室２７に分配され供給するようにしている。冷蔵室２６には、冷蔵室ダクト４０の上部吐出口４４と側面吐出口４５から冷気４１が供給され、冷蔵室２６内を均一に循環するようにしている。送風機３４により供給する冷気４１の一部は、冷却器室３０から冷却器室カバー３１の開口部分を介して、冷凍室２７内を循環するようにしている。吐出された冷気４１は、冷蔵室２６と冷凍室２７を冷却した後に、冷蔵室２６では、冷蔵室ダクト４０の側面吐出口４５の下方に設けた吸入口５０から吸入通路５１を通って冷却器３２に戻るようにしている。
【００３９】
また、冷凍室２７では、冷却器室カバー３１の下部の開口部分から冷却器３２に戻るようにしている。
【００４０】
冷蔵室２６と冷凍室２７に供給する冷気４１の風量コントロールは、冷蔵室ダクト４０の冷気通路４２の下部に設けた絞り部４３を冷蔵室温調操作部４６で通路面積を調節することで行い、この冷蔵室温調操作部４６により冷却器室３０から送風機３４を介して供給する冷気４１の冷蔵室ダクト４０に供給する割合を指示するようにしている。この冷蔵室温調操作部４６は、手動ダンパまたは機械式、電動式ダンパで構成している。この風量の割合に対して、冷凍室２７の温度調節は、冷蔵室ダクト４０に設けた冷凍室温調操作部４７の調節ツマミ４８で指示を行い、冷凍室２７内の温度検知部４９の値を元に圧縮機５８をオンオフするか出力ダウンするかして行うようにしている。
【００４１】
照明手段５５は、断熱部３９の内部に設けることで、冷気通路４２内の冷気４１と接触することが無く、熱交換や冷気４１の流れの乱れを起こさないようにしている。また、Ｙの字状の冷気通路４２の分岐部分の上方に配置し、冷気通路４２を妨げない部分を利用して、冷蔵室ダクト４０に一体化して着脱を可能にしている。また、照明手段５５は、数個の半導体発光素子５６で構成し、それぞれの半導体発光素子５６を棚板５２間の照明を向
上するように配置し、また照明カバー（図示なし）により、光を拡散して、広範囲の照明を行なうようにしている。
【００４２】
内箱２１を上下に仕切る断熱仕切壁２５は、後方に設けた挿入部分に送風機３４を圧入し、支持する。この送風機３４は、軸流ファンであり、その外周部には、緩衝材を巻いて挿入部分との隙間を詰めている。圧入支持された送風機３４は、断熱仕切壁２５から独立して送風機３４を上方に取り除くことで、送風機３４の故障等のサービスを可能としている。
【００４３】
また、断熱箱体２４の組み立て工程では、送風機３４を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００４４】
また、冷蔵室ダクト４０に冷蔵室温調操作部４６と冷凍室温調操作部４７を取り付けることで、冷蔵室ダクト４０を組み立てる時の取り付けを容易にしている。
【００４５】
また、冷蔵室ダクト４０は、断熱部３９の外側に吸入口５０を設け、冷蔵室２６内に流入する冷気４１と吸入通路５１に流入した冷気４１との接触を防止し、冷蔵室２６内に流入する冷気４１の温度上昇を防止するようにしている。
【００４６】
また、冷蔵室ダクト４０の側部に設けた複数個の側面吐出口４５は、冷蔵室２６内に上下複数段に設けた複数個の棚板５２の天井に沿って冷気４１を吹き出すようにし、冷気４１が棚板５２の天井に沿って棚板５２間に拡大するようにしている。
【００４７】
また、冷蔵室ダクト４０の側面吐出口４５から供給された冷気４１は、各棚板５２に沿って冷蔵室２６内に広がる。このとき、冷蔵室ドア２８に向かって広がる冷気４１は、ドアポケット６４ａの下部６４ｂと棚板５２ａまたは収納ケース５３の前面部５３ａで構成した間隙６５により侵入経路を狭められていて、冷蔵室ドア２８の下部に流入する冷気４１を減少するようにしている。
【００４８】
また、冷蔵室ドア２８の内面の周壁の全体にわたって設けた内面周囲突起６２は、ドアポケット６４ａの下部６４ｂの近傍から下に向かって、内面周囲突起６２のカット領域６８を設け、収納ケース５３の前面部５３ａや取手６７が当たらないようにして、収納ケース５３の収納量を拡大するようにしている。
【００４９】
以上のように、本実施の形態においては、冷蔵室２６の一部に設けた収納ケース５３と、収納ケース５３の上方に設けた冷蔵室ドア２８の複数個のドアポケット６４と、複数個のドアポケット６４の一部と収納ケース５３の前面部５３ａで構成する間隙６５を設けたので、冷蔵室ドア２８の下方に侵入する風量を減少し、冷蔵室２６の収納ケース５３の収納量を増加させながら、消費電力の低減を行うことができる。
【００５０】
また、本実施の形態では、間隙６５は、冷蔵室ドア２８のドアポケット６４ａの下部６４ｂと棚板５２ａまたは収納ケース５３の前面部５３ａとで構成する時に、略等間隔の領域を形成したので、間隙６５の通路抵抗を増加することになり、冷気４１の通過を確実に抑制することができ、消費電力の低減を行うことができる。
【００５１】
また、略等間隔の間隙６５を構成することで、収納ケース５３が傾いても間隙６５を維持することになり、冷気４１の通過を確実に抑制することができ、消費電力の低減を行う
ことができる。
【００５２】
また、本実施の形態では、冷蔵室ドア２８は、冷蔵室２６側に向けて設けた内面周囲突起６２を収納ケース５３の前面部５３ａの近傍の内面周囲突起６２の突出長さを他の部分よりも短くし、カット領域６８を設けたので、収納ケース５３の前面部５３ａに設けた取手６７や収納部分の拡大領域が内面周囲突起６２に当たらないようになり、収納ケース５３を大きく拡大することができる。
【００５３】
また、本実施の形態では、冷蔵室ダクト４０に冷蔵室温調操作部４６と冷凍室温調操作部４７を一体化したので、組み立て工数を削減して低コスト化を行うことができる。
【００５４】
また、本実施の形態では、冷蔵室ダクト４０の断熱部３９の外側に吸入口５０に連通する吸入通路５１を設けたので、冷蔵室２６内に流入する冷気４１と吸入通路５１に流入した冷気４１との接触を防止して、冷蔵室２６内に流入する冷気４１の温度上昇を防止することができる。
【００５５】
また、本実施の形態では、吸入口５０の構成は断熱部３９の冷気通路４２の影響を受けないことになり、化粧カバー３８の材料と一体化させて簡素な構成にすることができる。
【００５６】
また、本実施の形態では、冷蔵室ダクト４０の側部に設けた複数個の側面吐出口４５は、冷蔵室２６内に設けた複数個の棚板５２の天井に沿って冷気４１を吹き出すようにしたので、冷気４１が棚板５２の天井に沿って拡大することになり、下部の棚板５２上にある収納物の全体をもれなく冷却することができる。
【００５７】
また、本実施の形態では、冷蔵室ダクト４０は、冷気４１を同一方向に供給し、冷気４１の吹き出し状態を統一して、冷気４１の吹き出しの均一化を図ることで、冷蔵室２６内の温度分布を均一にすることができる。
【００５８】
また、本実施の形態では、冷蔵室ダクト４０は、冷蔵室２６の背面から突出した側部に設けた複数個の側面吐出口４５から、冷蔵室２６の内壁の側部に向かって冷気４１を供給するようにしたので、冷蔵室２６の内壁に沿って冷気４１が移動し、収納物を包み込むような流れを形成することとなり、収納物を均一に冷却することができる。
【００５９】
また、本実施の形態では、冷蔵室ダクト４０は、冷気通路４２をＹの字状に設け、その上端に上部吐出口４４を設け、上部吐出口４４とＹの字状の冷気通路４２の分岐した部分の間に照明手段５５を設けたので、照明手段５５を設けることで冷蔵室２６内に不規則な突出部分を設ける必要がなくなり、冷蔵室２６内の冷気の循環を整流して、収納物を均一に冷却することができる。
【００６０】
また、本実施の形態では、冷蔵室２６内を照明する照明手段５５を備え、照明手段５５は、複数個の棚板５２に沿って、棚板５２間に複数個の半導体発光素子５６を配置したので、冷蔵室２６の複数個の棚５２に置かれた収納物に各半導体発光素子５６からの光が照射され、収納物の認識と取り出しを容易にすることができる。
【００６１】
また、本実施の形態では、照明手段５５は、照明カバー（図示なし）により光を拡散する程度を調整して、指向性の強い半導体発光素子５６の光でも棚５２間を主に照明することができ、光が分散し過ぎないようにして、効率よく収納物の判別を容易にすることができる。
【００６２】
また、本実施の形態では、また、本実施の形態では、照明手段５５は、照明カバー（図
示なし）により光を拡散するので、指向性の強い半導体発光素子５６の光でも分散され、目に対して残像が残ることを防止することができる。
【００６３】
また、本実施の形態では、冷蔵室ダクト４０に照明手段５５を一体化したので、冷蔵室ダクト４０の組み立てやメンテナンスを容易に行うことができる。
【００６４】
また、本実施の形態では、冷凍室２７の冷凍室ドア２９内面から突出した内面周囲突起６０と内箱２１で略水平の空間６１を構成したので、この空間６１の沿面距離を調整することで冷気４１の空間６１への侵入量を減少するようにし、消費電力の増加を防止することができる。
【００６５】
また、本実施の形態では、冷蔵室２６の冷蔵室ドア２８内面から突出した内面周囲突起６２と内箱２１で略水平の空間６３を構成したことにより、この空間６３の沿面距離を調整することで冷気４１の空間６３への侵入量を減少するようにし、消費電力の増加を防止することができる。
【００６６】
また、本実施の形態では、断熱仕切壁２５は、後方に設けた挿入部分に送風機３４を圧入し、支持しているので、冷蔵室ダクト４０を取り外すことで、断熱仕切壁２５から独立して送風機３４を上方に取り除くことで、容易に送風機３４の故障等のサービスを可能とすることができる
なお、冷気通路４２の絞り部４３は、コストダウンを図るために固定開口の構成にすることも可能である。
【００６７】
なお、冷蔵室ダクト４０の上部吐出口４４からの冷気４１の風量を機械式ダンパ等で調節することで、冷蔵室２６内の温度を検知しながら調節することも可能である。
【００６８】
（実施の形態２）
図３は、本発明の第２の実施の形態における冷蔵庫の構成を示す要部断面図である。
【００６９】
図３において、６９は、最下段のドアポケット６４ａを冷蔵室２６の冷蔵室ドア２８の内壁６６に装着するためのポケット支持部で、このポケット支持部６９は、内壁６６の一部を突出させ、内壁６６と一体化している。ポケット支持部６９は、デザイン上なめらかな曲線部分を構成している。ポケット支持部６９の下部７０と棚板５２ａまたは収納ケース５３の前面部５３ａで、間隙６５を構成している。
【００７０】
以上のように構成された冷蔵庫において、その動作、作用を説明する。
【００７１】
冷蔵室ダクト４０の側面吐出口４５から供給された冷気４１は、各棚板５２に沿って冷蔵室２６内に広がる。このとき、冷蔵室ドア２８に向かって広がる冷気４１は、ポケット支持部６９の下部７０と棚板５２ａまたは収納ケース５３の前面部５３ａで構成した間隙６５により侵入経路を狭められていて、冷蔵庫ドア２８の下部に流入する冷気４１を減少するようにしている。
【００７２】
以上のように、本実施の形態においては、間隙６５を構成したので、沿面距離の長い領域を形成し、間隙６５の通路抵抗を増加することになり、冷気４１の通過を確実に抑制することができ、消費電力の低減を行うことができる。
【００７３】
また、ポケット支持部６９は、冷蔵室ドア２８の内壁６６と一体構成で成型できるので、
棚板５２ａまたは収納ケース５３の前面部５３ａの形状に合わせて下部７０を成型するこ
とが可能となり、間隙６５を自在に形成し、通路抵抗の調整を行うことができる。
【００７４】
（実施の形態３）
図４は、本発明の第３の実施の形態における冷蔵庫の側面の要部断面図である。
【００７５】
図４において、間隙６５は、冷蔵室ドア２８の最下段のドアポケット６４ａのポケット支持部６９の下部７０と収納ケース５３の前面部５３ａに設けた取手６７で構成している。
【００７６】
また、間隙６５は、最下段ドアポケット６４ａの下部６４ｂと取手６７で構成することもある。
【００７７】
以上のように構成された冷蔵庫において、その動作、作用を説明する。
【００７８】
冷蔵室ダクト４０の側面吐出口４５から供給された冷気４１は、各棚板５２に沿って冷蔵室２６内に広がる。このとき、冷蔵室ドア２８に向かって広がる冷気４１は、ドアポケット支持部６９の下部７０と収納ケース５３の前面部５３ａに設けた取手６７で構成した間隙６５により侵入経路を狭められていて、冷蔵庫ドア２８の下部に流入する冷気４１を減少するようにしている。間隙６５は、取手６７を利用することで、沿面距離の長い領域を形成し、間隙６５の通路抵抗を増加するようにしている。また、取手６７で間隙６５を構成することにより、デザイン上から形状や大きさに設計の自由度があり、ポケット支持部６９の下部７０にも沿わせることを容易にしている。
【００７９】
以上のように、本実施の形態においては、収納ケース５３の取手６７により間隙６５を構成したので、沿面距離の長い領域を形成し、間隙６５の通路抵抗を増加することになり、冷気４１の通過を確実に抑制することができ、消費電力の低減を行うことができる。
【００８０】
（実施の形態４）
図５は、本発明の第４の実施の形態における冷蔵庫の側面の要部断面図である。
【００８１】
図５において、７１は、収納ケース５３の側面と冷蔵室２６の内壁の側面との間に設けた冷気導入通路で、冷蔵室ダクト４０の側面吐出口４５から供給された冷気４１が棚板５２間を循環した後にここを通り吸入口５０（図示なし）に導かれるようにしている。収納ケース５３は、冷蔵室２６の内壁の両側面に設けたレール７２を介して、出し入れを行うようにしている。収納ケース５３は、このレール７２により断熱仕切壁２５との間に空間７３を形成し、この空間７３内を冷気４１が通過するようにしている。
【００８２】
以上のように構成された冷蔵庫において、その動作、作用を説明する。
【００８３】
冷蔵室ダクト４０の上部吐出口４４と側面吐出口４５から供給された冷気４１は、棚板５２間や冷蔵室２６の内壁に沿って循環し、最終的に冷蔵室ダクト４０の下部に設けた吸入口５０（図示なし）に戻るようにしている。このとき循環する冷気４１は、収納ケース５３の周囲を回るが、棚板５２ａに降りた冷気４１は、前面部５３ａの横に回り、冷気導入通路７１に流入するようにしている。
【００８４】
大半の冷気４１がこの収納ケース５３の両側面に設けた冷気導入通路７１に流入し、収納ケース５３と断熱仕切壁２５で形成する空間７３に広がり、収納ケース５３を冷却するようにしている。このため、冷気４１は、冷蔵室２６の収納ケース５３の前面部５３ａ側には回らないようになっている。
【００８５】
以上のように、本実施の形態においては、収納ケース５３は、冷蔵室２６の内壁の側面との間に冷気導入通路７１を設けたので、収納ケース５３の上部に流入した冷気４１が収納ケース５３の側部に設けた冷気導入通路７１に回ることになり、冷蔵室２６の下方に侵入する風量を減少して、消費電力の低減を行うことができる。
【００８６】
（実施の形態５）
図６は、本発明の第５の実施の形態における冷蔵庫の側面の要部断面図である。
【００８７】
図６において、収納ケース５３の上部に設けた棚板５２ａを冷蔵室ドア２６の内壁６６に向けて、収納ケース５３の前面部５３ａよりも冷蔵室ドア２８に向かって突出するようにしている。棚板５２ａの端部と冷蔵室ドア２８の内壁６６との間に絞り部７４を設けるようにしている。
【００８８】
以上のように構成された冷蔵庫において、その動作、作用を説明する。
【００８９】
冷蔵室ダクト４０の上部吐出口４４と側面吐出口４５から供給された冷気４１は、棚板５２間や冷蔵室２６の内壁に沿って循環し、最終的に冷蔵室ダクト４０の下部に設けた吸入口５０（図示なし）に戻るようにしている。このとき、冷蔵室ドア２８に向かって広がる冷気４１は、最下段ドアポケット６４ａの下方に設けた冷蔵室ドア２８の内壁６６と棚板５２ａで構成した絞り部７４により侵入経路を狭められていて、冷蔵庫ドア２８の下部に流入する冷気４１を減少するようにしている。
【００９０】
以上のように、本実施の形態においては、収納ケース５３は、上方に設けた棚板５２ａを冷蔵室ドア２８の内壁６６に向けて、収納ケース５３の前面部５３ａよりも冷蔵室ドア２８に向かって突出したので、この棚板５２ａの端部と冷蔵室ドア２８の内壁６６との間に絞り部７４が構成され、冷蔵室ドア２８の下方に侵入する冷気４１を減少して、消費電力の低減を行うことができる。
【００９１】
また、棚板５２ａと最下段ドアポケット６４ａの下部６４ｂと間隙６５を構成し、絞り部７４と２段構えで通路抵抗をかけて、冷蔵室ドア２８の下方に侵入する冷気４１を更に減少して、消費電力の低減を行うことができる。
【００９２】
また、冷蔵室２６の下方に侵入する冷気４１を最下段の棚板５２ａを延長させて構成した絞り部７４で行うようにしたので、部品点数を増加せず、構成も簡単であるためコストの上昇を防止することができる。
【産業上の利用可能性】
【００９３】
以上のように、本発明にかかる冷蔵庫は、収納ケースの内容量を増加させるために、冷蔵室ドア近傍に収納ケースの前面部を構成しても冷気の流れを遮断して、消費電力の低減を行うので、家庭用の冷蔵庫だけでなく、業務用の冷蔵庫等にも適用できる。
【符号の説明】
【００９４】
２０  冷蔵庫本体
２４  断熱箱体
２５  断熱仕切壁
２６  冷蔵室
２７  冷凍室
２８  冷蔵室ドア
２９  冷凍室ドア
３２  冷却器
３４  送風機
３６、３９  断熱部
４０  冷蔵室ダクト
４１  冷気
４２  冷気通路
４４  上部吐出口
４５  側面吐出口
５０  吸入口
５２  棚板
５２ａ  最下段の棚板
５３  収納ケース
５３ａ  前面部
６４  ドアポケット
６４ａ  最下断のドアポケット
６５  間隙
６６  内壁
６７  取手
６８  カット領域
７０  下部
【図１】
2012002412.tif 000003
【図２】
2012002412.tif 000004
【図３】
2012002412.tif 000005
【図４】
2012002412.tif 000006
【図５】
2012002412.tif 000007
【図６】
2012002412.tif 000008
【図７】
2012002412.tif 000009